(57)【要約】【課題】高い納得感が得られる外見の印象の情報を生成する外見評価装置等を提供する。【解決手段】外見評価装置２００は、評価対象者の外見を構成する複数の印象要素を個別に見た評価が記録された複数の個別評価結果を取得する個別評価結果取得部と、個別評価結果取得部で取得した複数の個別評価結果に基づいて、評価対象者の総合的な印象である二次印象の形成に影響を与える複数の一次印象それぞれに点数若しくはランクを割り当てる一次印象評価部と、を備える。【選択図】図１
2015176330.tif 000002
【特許請求の範囲】
【請求項１】
評価対象者の外見を構成する複数の印象要素を個別に見た評価が記録された複数の個別評価結果を取得する個別評価結果取得手段と、
前記個別評価結果取得手段で取得した前記複数の個別評価結果に基づいて、前記評価対象者の総合的な印象である二次印象の形成に影響を与える複数の一次印象それぞれに点数若しくはランクを割り当てる一次印象評価手段と、を備える、
外見評価装置。
【請求項２】
前記個別評価結果取得手段が取得する前記複数の個別評価結果の中には、少なくとも、前記評価対象者の頭部若しくは顔の印象要素を個別に見たときの評価結果が記録された第１の印象要素評価結果と、前記評価対象者の体部の印象要素を個別に見たときの評価結果が記録された第２の印象要素評価結果と、が含まれ、
前記一次印象評価手段は、前記第１の印象要素評価結果に基づいて前記複数の一次印象それぞれに点数若しくはランクを割り当てることによって得られる第１の一次印象評価結果と、前記第２の印象要素評価結果に基づいて前記複数の一次印象それぞれに点数若しくはランクを割り当てることによって得られる第２の一次印象評価結果と、を取得する、
請求項１に記載の外見評価装置。
【請求項３】
前記複数の一次印象それぞれに割り当てられた点数若しくはランクに基づいてグラフを生成するグラフ生成手段、を備える、
請求項１又は２に記載の外見評価装置。
【請求項４】
前記複数の一次印象それぞれに割り当てられた点数若しくはランクに基づいてグラフを生成するグラフ生成手段、を備え、
前記グラフ生成手段は、前記第１の一次印象評価結果に基づいて生成される第１の一次印象評価グラフと、前記第２の一次印象評価結果に基づいて生成される第２の一次印象評価グラフと、を重ねて表示した重畳グラフを生成する、
請求項２に記載の外見評価装置。
【請求項５】
前記複数の個別評価結果の中の少なくとも１つの個別評価結果は、前記複数の一次印象の少なくとも１つに関連付けられており、
前記一次印象評価手段は、前記複数の一次印象それぞれについて、関連付けられている前記個別評価結果の点数若しくはランクを足し合わせ、
前記グラフ生成手段は、足し合わされた結果を項目値として棒グラフを生成する、
請求項３又は４に記載の外見評価装置。
【請求項６】
前記複数の個別評価結果の中の少なくとも１つの個別評価結果は、前記複数の一次印象の少なくとも１つに関連付けられており、
前記一次印象評価手段は、前記複数の一次印象それぞれについて、関連付けられている前記個別評価結果の点数若しくはランクの中から点数若しくはランクを１つ選択し、
前記グラフ生成手段は、選択された点数若しくはランクを項目値としてレーダーチャートを生成する、
請求項３乃至５のいずれか１項に記載の外見評価装置。
【請求項７】
前記複数の個別評価結果の中の少なくとも１つの個別評価結果の点数は、数値幅のある点数であり、
前記グラフ生成手段は、前記数値幅のある点数に基づき決定された数値幅のある値を少なくとも項目値の１つとして前記レーダーチャートを生成する、
請求項６に記載の外見評価装置。
【請求項８】
前記複数の一次印象それぞれに付された点数若しくはランクに基づいて、前記評価対象者の二次印象が、予め分類された複数のタイプのいずれであるかを判別する二次印象判別手段、を備える、
請求項１乃至７のいずれか１項に記載の外見評価装置。
【請求項９】
前記個別評価結果取得手段が取得する前記複数の個別評価結果の中には、評価対象の印象要素が目立たないことを示す非特徴的評価結果が含まれ、
前記一次印象評価手段は、前記非特徴的評価結果に基づいて、前記複数の一次印象それぞれに点数若しくはランクを割り当てる、
請求項１乃至８のいずれか１項に記載の外見評価装置。
【請求項１０】
前記複数の印象要素には、顔の肌の質感と、顔の肌の明るさと、顔の形と、目鼻立ちと、目鼻のラインと、顔のパーツの配置バランスと、髪質と、ボディのシルエットと、ボディの肉付きと、手足のバランスと、肩幅のバランスと、の中から選択された２以上の印象要素が含まれる、
請求項１乃至９のいずれか１項に記載の外見評価装置。
【請求項１１】
コンピュータを、
評価対象者の外見を構成する複数の印象要素を個別に見た評価が記録された複数の個別評価結果を取得する個別評価結果取得手段、
前記個別評価結果取得手段で取得した前記複数の個別評価結果に基づいて、前記評価対象者の総合的な印象である二次印象の形成に影響を与える複数の一次印象それぞれに点数若しくはランクを割り当てる一次印象評価手段、として機能させる、
プログラム。
【請求項１２】
評価対象者の外見を構成する複数の印象要素を個別に見た評価が記録された複数の個別評価結果を取得する手順と、
前記複数の個別評価結果を入力として、処理装置に、前記評価対象者の総合的な印象である二次印象の形成に影響を与える複数の一次印象それぞれに割り当てる点数若しくはランクを算出させる手順と、を有する、
外見評価方法。
【発明の詳細な説明】
【技術分野】
【０００１】
本発明は、外見評価装置、外見評価方法、及びプログラムに関する。
【背景技術】
【０００２】
外見の印象は、衣服、髪型、化粧等により大きく変わる。適正な方向性を以って衣服、髪型、化粧等を選択すれば、外見の印象は大きく改善する。適正な方向性を見つけ出すためには、まずは、他者から見た自己の印象を把握する必要がある。特許文献１には、被験者の顔の立体感を分類する顔分類装置が開示されている。
【先行技術文献】
【特許文献】
【０００３】
【特許文献１】特開２００７−１７５４８４号公報
【発明の概要】
【発明が解決しようとする課題】
【０００４】
一般的に、外見の印象の評価は、人の感性に基づき行われる。しかし、多くの者は、人の評価は感覚的なものであり、揺らぎが大きいものと認識している。そのため、評価を受ける者（以下、「評価対象者」という。）は、いくら優れた感性の持ち主の評価であっても、その者の評価を素直に受け入れることはできない。
【０００５】
装置の評価であれば、評価対象者は幾分か納得しやすい。しかしながら、特許文献１の装置は、顔の立体感という、人の外見を構成する複数の印象要素の１つを評価しているに過ぎない。外見の印象は、１つの印象要素で決まるほど単純ではない。特許文献１の装置を使って、外見の印象を把握するのは困難である。
【０００６】
本発明はこのような問題に鑑みてなされたものであり、高い納得感が得られる外見の印象の情報を生成する外見評価装置、外見評価方法、及びプログラムを提供することを目的とする。
【課題を解決するための手段】
【０００７】
上記目的を達成するために、本発明の第１の観点に係る外見評価装置は、
評価対象者の外見を構成する複数の印象要素を個別に見た評価が記録された複数の個別評価結果を取得する個別評価結果取得手段と、
前記個別評価結果取得手段で取得した前記複数の個別評価結果に基づいて、前記評価対象者の総合的な印象である二次印象の形成に影響を与える複数の一次印象それぞれに点数若しくはランクを割り当てる一次印象評価手段と、を備える。
【０００８】
また、本発明の第２の観点に係るプログラムは、
コンピュータを、
評価対象者の外見を構成する複数の印象要素を個別に見た評価が記録された複数の個別評価結果を取得する個別評価結果取得手段、
前記個別評価結果取得手段で取得した前記複数の個別評価結果に基づいて、前記評価対象者の総合的な印象である二次印象の形成に影響を与える複数の一次印象それぞれに点数若しくはランクを割り当てる一次印象評価手段、として機能させる。
【０００９】
また、本発明の第３の観点に係る外見評価方法は、
評価対象者の外見を構成する複数の印象要素を個別に見た評価が記録された複数の個別評価結果を取得する手順と、
前記複数の個別評価結果を入力として、処理装置に、前記評価対象者の総合的な印象である二次印象の形成に影響を与える複数の一次印象それぞれに割り当てる点数若しくはランクを算出させる手順と、を有する。
【発明の効果】
【００１０】
本発明によれば、高い納得感が得られる外見の印象の情報を取得できる。
【図面の簡単な説明】
【００１１】
【図１】実施の形態１の外見評価システムの構成を示す図である。
【図２】顔印象要素評価シートの一例を示す図である。
【図３】体部印象要素評価シートの一例を示す図である。
【図４】個別評価結果を入力するＷｅｂページの一例を示す図である。
【図５】実施の形態１の外見評価システムのブロック図である。
【図６】制御部の機能を示す機能ブロック図である。
【図７】実施の形態１の変換情報の内容を示す図である。
【図８】実施の形態１の外見評価処理を示すフローチャートである。
【図９】一次印象に点数が割り当てられる様子を示す図である。
【図１０】顔一次印象評価結果を示す棒グラフである。
【図１１】顔一次印象評価結果を示すレーダーチャートである。
【図１２】体部一次印象評価結果を示す棒グラフである。
【図１３】体部一次印象評価結果を示すレーダーチャートである。
【図１４】図１１に示すレーダーチャートと図１３に示すレーダーチャートとを重ね合わせた重畳グラフである。
【図１５】実施の形態２の変換情報の内容を示す図である。
【図１６】実施の形態２の外見評価処理を示すフローチャートである。
【図１７】一次印象評価結果を示す円グラフである。
【図１８】レーダーチャートの中央に円グラフが表示された様子を示す図である。
【図１９】一次印象評価結果を示す棒グラフである。
【図２０】実施の形態３の外見評価システムのブロック図である。
【図２１】８つの一次印象と９つの二次印象のタイプとの関係を示す図である。
【図２２】図１０に示す棒グラフと図１２に示す棒グラフとを重ね合わせた重畳グラフである。
【図２３】１つの個別評価結果に複数の点数が割り当てられた変換情報を示す図である。
【発明を実施するための形態】
【００１２】
以下、本発明を実施するための形態について図面を参照しながら説明する。なお、図中、同一または同等の部分には同一の符号を割り当てる。
【００１３】
（実施の形態１）
本実施の形態に係る外見評価装置を備える外見評価システム１は、図１に示すように、複数の端末装置１００と、端末装置１００とネットワークを介して接続された外見評価装置２００と、を備える。なお、本実施の形態において、「ネットワーク」とは、ＬＡＮ（Local Area Network）、ＷＡＮ（Wide Area Network）、電話網、地域ＩＰ網、インターネット等の通信ネットワークのことをいう。
【００１４】
端末装置１００は、パーソナルコンピュータ、タブレット端末等の通信端末から構成される。端末装置１００はユーザから入力された情報を、ネットワークを介して外見評価装置２００に送信する。情報の送信は、例えば、システム構築者等により予め用意された専用のＷｅｂページを使って行われる。
【００１５】
端末装置１００が外見評価装置２００に送信する情報には、個別評価結果が含まれる。「個別評価結果」は、評価対象者の外見を構成する複数の印象要素を、評価者が個別に見て評価した結果である。ここで、「印象要素」とは、評価対象者の外見の印象に影響を与える要素のことをいう。印象要素の具体例としては、例えば、評価対象者の体のパーツの形状、模様、色彩、大きさ、長さ、細さ、配置バランス、その他の状態（例えば、質感、肉付き、ウェーブ状態等）、及びこれらの組み合わせ等が挙げられる。
【００１６】
なお、体のパーツの具体例としては、例えば、頭部、顔、頭部以外の体（以下、「体部」という。）、頭部に含まれるパーツ（例えば、目、鼻、口、耳、眉毛、まつ毛、歯、髪等）、体部に含まれるパーツ（例えば、手、足、首、肩、バスト、ウエスト、ヒップ等）、及びこれらの組み合わせ等が挙げられる。なお「顔」には、目、鼻、口、耳、眉毛、まつ毛、歯のみならず、頭部を前面から見たときに見える髪も含まれる。
【００１７】
本実施の形態の場合、個別評価結果は、顔印象要素評価結果と体部印象要素評価結果とに大別される。「顔印象要素評価結果」とは、顔に含まれる印象要素の個別評価結果のことであり、また、「体部印象要素評価結果」は、体部に含まれる印象要素の個別評価結果のことである。以下の説明では、理解を容易にするため、顔印象要素評価結果は、下記（１−１）〜（１−７）に示す７つの印象要素の評価結果それぞれのことを示すものとする。また、体部印象要素評価結果は、下記（２−１）〜（２−４）に示す４つ印象要素の評価結果それぞれのことを示すものとする。
【００１８】
（１−１）顔の肌の質感
（１−２）顔の肌の明るさ
（１−３）顔の形（フェイスライン）
（１−４）目鼻立ち
（１−５）目鼻のライン
（１−６）顔のパーツの配置バランス
（１−７）髪質
【００１９】
（２−１）ボディのシルエット
（２−２）ボディの肉付き
（２−３）手足のバランス
（２−４）肩幅のバランス
【００２０】
上記（１−１）〜（２−４）に示される印象要素の評価は、それぞれ、図２及び図３に示すような評価シートに基づき行われる。図２及び図３を見れば分かるように、印象要素それぞれには、個別評価結果としての複数の選択肢（図２及び図３に示す（ａ）〜（ｆ））が割り当てられている。評価者は、これら選択肢の中から、自分が感じた印象に近い回答を選択することで、評価対象者の個別評価結果を取得する。なお、これら選択肢は、それぞれ、複数回答可能な選択肢であってもよいし、択一式の選択肢であってもよい。
【００２１】
評価者は、個別評価結果を取得すると、それら複数の個別評価結果を端末装置１００に入力する。端末装置１００は、評価者の指示に基づき、入力された複数の個別評価結果を外見評価装置２００に送信する。このとき、端末装置１００は、複数の個別評価結果を１つのデータにまとめて送信してもよいし、複数のデータに分散して送信してもよい。個別評価結果の入力及び送信は、例えば図４に示すような専用のＷｅｂページを使って行われる。なお、このＷｅｂページは特定のユーザだけログインできるよう構成されていてもよい。
【００２２】
図１に戻り、外見評価装置２００は、端末装置１００から送信された個別評価結果に基づいて評価対象者の二次印象等を評価する装置である。
【００２３】
ここで、「二次印象」とは、評価対象者の外見を見て多くの人が感じる、評価対象者の総合的な印象のことをいう。人は、心の中に、事象を把握するための分類基準を持っている。多くの人は、その分類基準に従って、意識的に若しくは無意識的に、自分が出会った事象を複数の分類のいずれかに当てはめる。例えば、本来、食べ物のおいしさには無限のバラエティがあるものであるが、人は食べ物のおいしさを、例えば、こってりしたおいしさ、あっさりしたおいしさ、コクのあるおいしさ、フルーティーなおいしさ等の複数の分類のいずれかに当てはめて把握する。人の外見の印象もこれと同様である。発明者は、長年の経験から、多くの人は、女性を見たときに、以下に示す５つのタイプのいずれかに当てはめて把握していることが多いとの知見を得た。
【００２４】
Ｔ１．かわいくて愛らしい印象のタイプ（以下、「天使タイプ」という。）
Ｔ２．透明感があり可憐な印象のタイプ（以下、「妖精タイプ」という。）
Ｔ３．凛としてかっこいい印象のタイプ（以下、「女神タイプ」という。）
Ｔ４．艶っぽくゴージャスな印象のタイプ（以下、「観音タイプ」という。）
Ｔ５．穏やかでエレガントな印象のタイプ（以下、「天女タイプ」という。）
【００２５】
以下の説明では、発明者の知見に基づき、一例として、二次印象は、上記Ｔ１〜Ｔ５の５つのタイプのいずれかに分類される印象であるものとする。
【００２６】
多くの場合、二次印象は一次印象に基づき判別される。「一次印象」とは、二次印象の形成に影響を与える評価対象者の外見の印象のことをいう。人は、多くの場合、複数の主観を総合して事象を把握する。例えば、人は食べ物のおいしさを、甘い味、すっぱい味、苦い味、甘い臭い、すっぱい臭い、まろやかな食感、鮮やかな見た目等のおいしさに関する複数の印象を総合して把握する。人の外見の印象もこれと同様である。発明者は、長年の経験から、以下に示す８つの印象が、二次印象の形成に大きな影響を与えているとの知見を得た。
【００２７】
Ａ．エレガントで繊細な印象
Ｂ．みずみずしく清らかな印象
Ｃ．スポーティで活動的な印象
Ｄ．シャープでかっこよい印象
Ａ２．風格があり重厚な印象
Ｂ２．華麗でセクシーな印象
Ｃ２．アクティブで元気な印象
Ｄ２．かわいく甘美な印象
【００２８】
以下の説明では、発明者の知見に基づき、一例として、一次印象は、上記Ａ〜Ｄ２の８つの印象の中から選択される印象であるものとする。
【００２９】
外見評価装置２００は、図５に示すように、通信インタフェース２１０と、制御部２２０と、記憶部２３０と、を備える。
【００３０】
通信インタフェース２１０は、ＬＡＮケーブル接続インタフェース、無線ＬＡＮ接続装置等の通信インタフェースである。通信インタフェース２１０は、端末装置１００から情報を受け取ると、その受け取った情報を制御部２２０に送信する。
【００３１】
制御部２２０は、プロセッサ等の処理装置から構成される。制御部２２０は不図示のＲＯＭ（Read Only Memory）やＲＡＭ（Random Access Memory）に格納されているプログラムに従って動作することで、後述の「外見評価処理」を含む種々の動作を実現する。制御部２２０は、プログラムに従って動作することで、図６に示すように、個別評価結果取得部２２１、一次印象評価部２２２、グラフ生成部２２３、二次印象判別部２２４、結果出力部２２５として機能する。これら機能の動作については、後述の「外見評価処理」の説明の箇所で説明する。なお、制御部２２０は、１つのプロセッサから構成されていてもよいし、複数のプロセッサから構成されていてもよい。制御部２２０が複数のプロセッサで構成されている場合、制御部２２０は、複数のプロセッサの協働により上記機能を実現してもよい。
【００３２】
図５に戻り、記憶部２３０は、ＤＲＡＭ（Dynamic Random Access Memory）、ＳＲＡＭ（Static Random Access Memory）、半導体メモリ、ハードディスク等のデータ読み書き可能な記憶装置から構成される。記憶部２３０には、変換情報２３１等の各種情報が格納されている。
【００３３】
変換情報２３１は、個別評価結果を一次印象の評価に変換するための情報である。この変換情報２３１は、後述の外見評価処理で使用される。変換情報２３１は、複数のレコードから構成される。複数のレコードそれぞれには、図７に示すように、印象要素及び評価結果、並びに、一次印象及び点数を関連付けた情報が格納されている。なお、図７に示す（１−１）〜（２−４）は、上述した１１個の印象要素に対応している。また、図７に示す（ａ）〜（ｅ）は、図２及び図３に示した選択肢に対応している。また、図７に示すＡ〜Ｄ２は上述した８つの一次印象に対応している。
【００３４】
一次印象に関連付けられた点数は、個別評価結果と一次印象との結び付きが強いものほど高い点数となっている。例えば、評価対象者の「（１−１）顔の肌の質感」が「（ａ）とても薄い」印象の場合、多くの人が評価対象者から「Ｂ．みずみずしく清らかな」一次印象を強く受けると考えられる。そのため、一次印象には高い点数（例えば、２．０〜３．０）が関連付けられる。また、評価対象者の「（１−１）顔の肌の質感」が「（ｄ）もっちりして弾力かハリを感じる」印象の場合、多くの人が評価対象者から「Ａ２．風格があり重厚な」一次印象を受けると考えられる。しかし、その一次印象はあまり強くないと考えられるので、一次印象には中程度の点数（例えば、１．５〜２．５）が関連付けられる。
【００３５】
なお、一次印象に関連付けられる点数は、数値幅のあるものとなっている。これは、同じものを見たとしても、人が感じる印象に人それぞれ違いがあることを考慮したものである。すなわち、結びつきの強さの評価が分かれるものに関しては大きな数値幅となり、評価が分かれないものに関しては小さな数値幅となる。なお、一次印象に関連付けられる点数は、数値幅のない点数であってもよい。
【００３６】
次に、このような構成を有する外見評価装置２００の動作について説明する。
【００３７】
通信インタフェース２１０が、端末装置１００から、複数の個別評価結果が格納された情報（以下、「評価情報」という。）を受信すると、制御部２２０は外見評価処理を開始する。以下、図８のフローチャートを参照して外見評価処理について説明する。
【００３８】
制御部２２０の個別評価結果取得部２２１は、通信インタフェース２１０を制御して、通信インタフェース２１０を介して端末装置１００から評価情報を取得する（ステップＳ１０１）。
【００３９】
制御部２２０の一次印象評価部２２２は、ステップＳ１０１で取得した評価情報に含まれる複数の個別評価結果のうちの顔印象要素評価結果に基づいて、Ａ〜Ｄ２の８つの一次印象それぞれに点数を割り当てる（ステップＳ１０２）。「顔印象要素評価結果」とは、顔に含まれる印象要素の個別評価結果のことである。本実施の形態の場合、顔印象要素評価結果は、（１−１）〜（１−７）の７つの印象要素の個別評価結果それぞれのことである。なお、以下の説明では、理解を容易にするため、顔印象要素評価結果に基づく一次印象の評価結果を「顔一次印象評価結果」と呼ぶ。具体的には、一次印象評価部２２２は、以下に示す手順で顔一次印象評価結果を取得する。
【００４０】
まず、一次印象評価部２２２は、評価情報に含まれる複数の個別評価結果の中から、顔印象要素評価結果を抽出する。そして、一次印象評価部２２２は、抽出した複数の顔印象要素評価結果それぞれについて、一次印象及び点数を判別する。このとき、一次印象評価部２２２は、記憶部２３０に格納されている変換情報２３１に基づいて一次印象及び点数を判別する。その後、一次印象評価部２２２は、判別した点数を、例えば図９に示すように、該当の一次印象に割り当てる。
【００４１】
例えば、抽出した顔印象要素評価結果の１つが図９に示す「個別評価結果１」なのであれば、一次印象評価部２２２は、図７の変換情報２３１に基づき、個別評価結果１に該当する一次印象及び点数を、一次印象Ｂ及び点数２．０〜３．０と判別する。そして、一次印象評価部２２２は、この判別結果に基づいて、図９に示すように、一次印象Ｂに点数２．０〜３．０を割り当てる。また、抽出した顔印象要素評価結果の１つが「個別評価結果２」なのであれば、一次印象評価部２２２は、変換情報２３１に基づき、個別評価結果２に該当する一次印象及び点数を、例えば、一次印象Ａ及び点数１．５〜２．５と判別する。そして、一次印象評価部２２２は、この判別結果に基づいて、図９に示すように、一次印象Ａに点数１．５〜２．５を割り当てる。一次印象評価部２２２は、評価情報に含まれる全ての顔印象要素評価結果について、この処理を実行する。
【００４２】
なお、この処理で１つの一次印象に複数の点数が割り当てられた場合、一次印象評価部２２２は、該当の一次印象に割り当てる点数を複数ある点数のうちのいずれか１つとする処理を実行してもよい。例えば、一次印象評価部２２２は、複数の点数のうちの、最も高い点数を一次印象に割り当てる点数としてもよいし、複数の点数の中央に位置する点数を一次印象に割り当てる点数としてもよい。また、一次印象評価部２２２は、複数の点数の中から選択された２以上の点数を一次印象に割り当てる点数としてもよい。当然、一次印象評価部２２２は、複数の点数全てを一次印象に割り当てる点数としてもよい。
【００４３】
また、一次印象評価部２２２が割り当てる点数は、必ずしも変換情報２３１に示される点数そのままでなくてもよい。例えば、上述の処理で１つの一次印象に複数の点数が割り当てられたのであれば、一次印象評価部２２２は、複数の点数の合計点を該当の一次印象に割り当てる点数としてもよい。このとき、点数が数値幅のある点数なのであれば、一次印象に割り当てる点数は数値幅の上限値同士及び下限値同士をそれぞれ足し合わせた数値幅のある点数であってもよい。例えば、図９に示す一次印象Ｂであれば、一次印象評価部２２２は、点数２．０〜３．０及び点数１．５〜２．０の上限値同士及び下限値同士をそれぞれ足し合わせた３．５〜５．０を一次印象Ｂに割り当てる点数としてもよい。
【００４４】
また、一次印象評価部２２２は、数値幅のない点数を該当の一次印象に割り当ててもよい。例えば、一次印象評価部２２２は、数値幅の上限値同士を合計した点数を一次印象に割り当てる点数としてもよい。例えば、図９の一次印象Ｂであれば、一次印象評価部２２２は、点数２．０〜３．０と点数１．５〜２．０の上限値同士を合計した点数５．０を一次印象Ｂに割り当てる点数としてもよい。また、一次印象評価部２２２は、数値幅の下限値同士を合計した点数を一次印象に割り当てる点数としてもよい。例えば、図９の一次印象Ｂであれば、一次印象評価部２２２は、点数２．０〜３．０と点数１．５〜２．０の下限値同士を合計した点数３．５を一次印象Ｂに割り当ててもよい。また、一次印象評価部２２２は、上限値と下限値を足して２で割った中点同士を合計した点数を一次印象に割り当てる点数としてもよい。例えば、図９の一次印象Ｂであれば、一次印象評価部２２２は、点数２．０〜３．０の中点２．５と点数１．５〜２．０の中点１．７５を足した４．２５を一次印象Ｂに割り当てる点数としてもよい。
【００４５】
なお、数値幅のない点数を一次印象に割り当てる場合、点数が１つしか割り当てられなかった一次印象についても、数値幅のある点数を数値幅のない点数とする処理を実行する。このとき、一次印象評価部２２２は、上限値と下限値のいずれかを該当の一次印象に割り当てる点数としてもよいし、数値幅のある点数の中点を一次印象に割り当てる点数としてもよい。
【００４６】
図８に戻り、制御部２２０のグラフ生成部２２３は、ステップＳ１０２で割り当てられた点数に基づきグラフを生成する（ステップＳ１０３）。本ステップにおいて、グラフ生成部２２３が生成するグラフは、図１０に示すような棒グラフ、及び、図１１に示すようなレーダーチャートである。このとき、グラフ生成部２２３は、一次印象に割り当てられた複数の点数のいずれか１つをグラフの項目値としてもよいし、複数の点数の合計点をグラフの項目値としてもよい。また、グラフ生成部２２３は、数値幅のない点数をグラフの項目値としてもよいし、数値幅のある点数をグラフの項目値としてもよい。数値幅のある点数を項目値とする場合、グラフ生成部２２３は、例えば図１１に示すように、上限値同士を接続した線と下限値同士を接続した線とに囲まれた領域に、斜線、色、濃淡等の強調表示を施してもよい。なお、図１０は、上限値の合計点を項目値とした棒グラフであり、図１１は、複数割り当てられた点数のうち、上限値が最も大きい点数を項目値としたレーダーチャートである。
【００４７】
図８に戻り、一次印象評価部２２２は、ステップＳ１０１で取得した評価情報に含まれる複数の個別評価結果のうちの体部印象要素評価結果に基づいて、Ａ〜Ｄ２の８つの一次印象それぞれに点数を割り当てる（ステップＳ１０４）。「体部印象要素評価結果」とは、体部に含まれる印象要素の個別評価結果のことである。本実施の形態の場合、体部印象要素評価結果は、（２−１）〜（２−４）の４つの印象要素の個別評価結果それぞれのことである。なお、以下の説明では、理解を容易にするため、体部印象要素評価結果に基づく一次印象の評価結果を「体部一次印象評価結果」と呼ぶ。一次印象評価部２２２が体部一次印象評価結果を取得する手順は、ステップＳ１０２に示した顔一次印象評価結果の取得手順と同様である。
【００４８】
グラフ生成部２２３は、ステップＳ１０４で割り当てられた点数に基づきグラフを生成する（ステップＳ１０５）。本ステップにおいて、グラフ生成部２２３が生成するグラフは、図１２に示すような棒グラフ、及び、図１３に示すようなレーダーチャートである。なお、一次印象に点数が割り当てられなかった場合、図１２及び図１３の一次印象Ｂに示すように、項目値を０とする。
【００４９】
図８に戻り、グラフ生成部２２３は、ステップＳ１０３で生成したグラフと、ステップＳ１０５で生成したグラフとを重ね合わせて重畳グラフを生成する。「重畳グラフ」とは、例えば図１４に示すように、複数の同種のグラフを重ね合わせたグラフである。なお、図１４は、図１１に示すレーダーチャートと図１３に示すレーダーチャートとを重ね合わせたグラフである。
【００５０】
図８に戻り、二次印象判別部２２４は、ステップＳ１０２とステップＳ１０４で取得した一次印象評価結果に基づいて、評価対象者の二次印象が、上述したＴ１〜Ｔ５のいずれのタイプに当てはまるか判別する（ステップＳ１０７）。二次印象判別部２２４は、顔と体部それぞれについて、二次印象のタイプを判別する。すなわち、二次印象判別部２２４は、顔一次印象評価結果に基づいて顔の二次印象のタイプを判別し、体部一次印象評価結果に基づいて体部の二次印象のタイプを判別する。
【００５１】
具体的には、二次印象判別部２２４は、図１１若しくは図１３に示すＡ〜Ｄ２の８つの点数の偏り等に基づいて、評価対象者の二次印象のタイプを判別する。発明者の知見から、Ｃ２、Ｄ２、Ａの点数が高くなるとき、人は見た女性を「天使タイプＴ１」であると把握し、Ａ、Ｂ、Ｃの点数が高くなるとき、人は見た女性を「妖精タイプＴ２」であると把握し、Ｃ、Ｄ、Ａ２の点数が高くなるとき、人は見た女性を「女神タイプＴ３」であると把握し、Ａ２、Ｂ２、Ｃ２の点数が高くなるとき、人は見た女性を「観音タイプＴ４」であると把握し、Ｄ２、Ａ、Ｂの点数が高くなるとき、若しくは、Ｄ、Ａ２、Ｂ２の点数が高くなるとき、人は見た女性を「天女タイプＴ５」であると把握することが分かっている。これに加えて、Ａ〜Ｄ２の８つの点数がほぼ均等に低い点数となるときも、人は見た女性を「天女タイプＴ５」であると把握することが分かっている。
【００５２】
そこで、二次印象判別部２２４は、まず、Ａ〜Ｄ２の８つの点数が「ほぼ均等に低い点数」であるか否かを判別する。具体的には、二次印象判別部２２４は、Ａ〜Ｄ２の８つの点数の分散若しくは標準偏差、並びに、Ａ〜Ｄ２の８つの点数の平均点若しくは合計点を算出する。そして、二次印象判別部２２４は、分散若しくは標準偏差が一定の閾値より小さく、かつ、平均点若しくは合計点が所定の閾値より小さいとき、Ａ〜Ｄ２の８つの点数が「ほぼ均等に低い点数」であると判別する。この場合、二次印象判別部２２４は、評価対象者の二次印象のタイプを天女タイプＴ５と判別する。
【００５３】
８つの点数が「ほぼ均等に低い点数」でないとき、二次印象判別部２２４は、点数の偏りに基づいて評価対象者の二次印象のタイプを判別する。具体的には、二次印象判別部２２４は、下記式（１）〜（６）に基づき、Ａ〜Ｄ２の８つの点数を重み付け加算する。そして、二次印象判別部２２４は、加算値ＶＴ１〜ＶＴ５_２のうち、最も点数が高い加算値に対応するタイプを評価対象者の二次印象のタイプと判別する。例えば、ＶＴ１〜ＶＴ５_２のうち、ＶＴ１の値が最も大きいのであれば、二次印象判別部２２４は、評価対象者のタイプを天使タイプＴ１と判別する。ＶＴ１〜ＶＴ５_２のうち、ＶＴ５_１若しくはＶＴ５_２の値が最も大きいのであれば、二次印象判別部２２４は、評価対象者のタイプを天女タイプＴ５と判別する。
【００５４】
ＶＴ１＝Ｗ１Ａ×ＶＡ＋Ｗ１Ｂ×ＶＢ＋・・・・＋Ｗ１Ｄ２×ＶＤ２      （１）
ＶＴ２＝Ｗ２Ａ×ＶＡ＋Ｗ２Ｂ×ＶＢ＋・・・・＋Ｗ２Ｄ２×ＶＤ２      （２）
ＶＴ３＝Ｗ３Ａ×ＶＡ＋Ｗ３Ｂ×ＶＢ＋・・・・＋Ｗ３Ｄ２×ＶＤ２      （３）
ＶＴ４＝Ｗ４Ａ×ＶＡ＋Ｗ４Ｂ×ＶＢ＋・・・・＋Ｗ４Ｄ２×ＶＤ２      （４）
ＶＴ５_１＝Ｗ５Ａ×ＶＡ＋Ｗ５Ｂ×ＶＢ＋・・・＋Ｗ５Ｄ２×ＶＤ２      （５）
ＶＴ５_２＝Ｗ６Ａ×ＶＡ＋Ｗ６Ｂ×ＶＢ＋・・・＋Ｗ６Ｄ２×ＶＤ２      （６）
【００５５】
なお、上記式（１）〜式（６）において、ＶＡ〜ＶＤ２はＡ〜Ｄ２の８つの一次印象の点数を示している。また、Ｗ１Ａ〜Ｗ６Ｄ２はＶＡ〜ＶＤ２に付与する重み係数を示している。Ｗ１Ａ〜Ｗ６Ｄ２の値は、タイプの性質にあわせて調整する。例えば、式（１）であれば、天使タイプＴ１に対応しているので、ＷＣ２、ＷＤ２、ＷＡを大きな値にする。式（２）であれば、妖精タイプＴ２に対応しているので、ＷＡ、ＷＢ、ＷＣを大きな値にする。式（３）であれば、女神タイプＴ３に対応しているので、ＷＣ、ＷＤ、ＷＡ２を大きな値にする。式（４）であれば、観音タイプＴ４に対応しているので、ＷＡ２、ＷＢ２、ＷＣ２を大きな値にする。式（５）及び式（６）であれば、天女タイプＴ５に対応しているので、ＷＤ２、ＷＡ、ＷＢ、若しくは、ＷＤ、ＷＡ２、ＷＢ２を大きな値にする。
【００５６】
図８に戻り、結果出力部２２５は、ステップＳ１０３及びステップＳ１０５で生成したグラフと、ステップＳ１０７で判別した評価対象者の二次印象のタイプと、を端末装置１００で出力可能なデータ形式にまとめ、端末装置１００に送信する（ステップＳ１０８）。データ形式は例えばＰＤＦ（Portable Document Format）等の印刷出力可能なデータ形式であってもよいし、ＨＴＭＬ（Hyper Text Markup Language）等のＷｅｂブラウザで表示出力可能なデータ形式であってもよい。送信が完了したら、制御部２２０は外見評価処理を終了する。
【００５７】
本実施の形態によれば、二次印象を分解した複数の一次印象それぞれに点数を割り当てるよう構成されているので、評価対象者は自分の外見の印象を具体的に把握できる。その結果、評価対象者は高い納得感が得られる。そして、評価対象者は、複数の一次印象に基づき、印象改善のための適正な方向性を容易に見つけ出すことができる。
【００５８】
顔の印象と体部の印象が不一致の人がいる。例えば、顔はみずみずしく清らかな印象であるのに、体部は風格があり重厚な印象の人である。この点、外見評価装置２００は顔印象要素評価結果と体部印象要素評価結果とをそれぞれ取得するよう構成されているので、評価対象者は顔の印象と体部の印象との不一致を容易に知ることができる。この結果、評価対象者は、印象改善のための適正な方向性を容易に見つけ出すことができる。
【００５９】
また、外見評価装置２００は、一次印象の評価結果に基づいてグラフを生成しているので、評価対象者は自分の印象を視覚的に容易に把握できる。
【００６０】
また、外見評価装置２００は、顔印象要素評価結果に基づき生成されたグラフと体部印象要素評価結果に基づき生成されたグラフとを重ねて表示した重畳グラフを生成しているので、評価対象者は顔の印象と体部の印象との不一致を視覚的に容易に知ることができる。
【００６１】
また、外見評価装置２００が生成するレーダーチャートの各項目値は、数値幅のあるものとなっている。この数値幅は、人毎に受ける印象に相違があることを考慮したものである。評価対象者は、数値幅の大きさを見ることによって、外見評価装置２００が出力した評価が、人によって大きく評価が分かれるバラツキの大きいものであるのか、それとも、多くの人が同じ印象を受けるバラツキの小さいものであるのか、を容易に知ることができる。
【００６２】
また、外見評価装置２００は、一次印象評価結果に基づいて二次印象のタイプを判別しているので、評価対象者は容易に自分の二次印象のタイプを知ることができる。
【００６３】
（実施の形態２）
非特徴的評価結果は、外見の印象の形成に影響を与えないと考えられがちである。ここで、「非特徴的評価結果」とは、複数の個別評価結果のうち、評価対象者の印象要素が目立たないことを示す個別評価結果である。図２及び図３の例であれば、（１−１）〜（１−５）の（ｃ）、（１−６）〜（１−７）の（ｂ）、（２−１）〜（２−２）の（ｃ）、（２−３）〜（２−４）の（ｂ）が非特徴的評価結果に該当する。
【００６４】
実施の形態１では、外見評価装置２００は、非特徴的評価結果を使用せずに一次印象に点数を割り当てたが、非特徴的評価結果を使用して一次印象に点数を割り当てることも可能である。以下、非特徴的評価結果を使用して一次印象に点数を割り当てる外見評価装置２００について説明する。なお、以下の説明では、一例として、一次印象は、以下に示すＥ１〜Ｅ４の４つの印象の中から選択される印象であるものとする。
【００６５】
Ｅ１．おとなしくひかえめな印象
Ｅ２．シックでおちつきのある印象
Ｅ３．まろやかでおおらかな印象
Ｅ４．やさしくなごやかな印象
【００６６】
記憶部２３０には、実施の形態１と同様に、変換情報２３１が格納されている。図１５に示すように、非特徴的評価結果（（１−１）（１−２）（１−３）の（ｃ）等）の一部又は全部には、実施の形態１の変換情報２３１とは異なり、Ｅ１〜Ｅ４の一次印象及び点数が関連付けられている。
【００６７】
外見評価装置２００のその他の構成は実施の形態１と同じであるので説明を省略する。以下、外見評価装置２００の動作について説明する。
【００６８】
通信インタフェース２１０が端末装置１００から評価情報を受信すると、制御部２２０は外見評価処理を開始する。以下、図１６のフローチャートを参照して外見評価処理について説明する。
【００６９】
個別評価結果取得部２２１は、通信インタフェース２１０から評価情報を取得し、不図示のワークメモリに保存する（ステップＳ２０１）。
【００７０】
一次印象評価部２２２は、ステップＳ２０１で取得した評価情報に含まれる複数の個別評価結果の中から顔印象要素評価結果を抽出する。そして、一次印象評価部２２２は、抽出した複数の顔印象要素評価結果のうちの非特徴的評価結果に基づいて、Ｅ１〜Ｅ４の４つの一次印象それぞれに点数を割り当てる（ステップＳ２０２）。一次印象評価部２２２が顔印象一次印象評価結果を取得する手順は、実施の形態１のステップＳ１０２で示した顔一次印象評価結果の取得手順と同様であるので説明を省略する。
【００７１】
グラフ生成部２２３は、ステップＳ２０２で割り当てられた点数に基づきグラフを生成する（ステップＳ２０３）。本実施の形態において、グラフ生成部２２３が生成するグラフは、例えば図１７に示すような円グラフである。この円グラフは、実施の形態１の外見評価処理で生成されるレーダーチャートに重ね合わされていてもよい。例えば、グラフ生成部２２３は、図１８に示すように、レーダーチャートの中心に、生成した円グラフを表示してもよい。また、グラフ生成部２２３は、例えば図１９に示すように、棒グラフに「優しく控えめ落ち着いた印象」を示す項目を追加し、そこにＥ１〜Ｅ４の合計点を表示してもよい。
【００７２】
図１６に戻り、一次印象評価部２２２は、ステップＳ２０１で取得した評価情報に含まれる複数の個別評価結果の中から体部印象要素評価結果を抽出する。そして、一次印象評価部２２２は、抽出した複数の体部印象要素評価結果のうちの非特徴的評価結果に基づいて、Ｅ１〜Ｅ４の４つの一次印象それぞれに点数を割り当てる（ステップＳ２０４）。一次印象評価部２２２が顔印象一次印象評価結果を取得する手順は、実施の形態１のステップＳ１０２で示した顔一次印象評価結果の取得手順と同様であるので説明を省略する。
【００７３】
グラフ生成部２２３は、ステップＳ２０２で割り当てられた点数に基づきグラフを生成する（ステップＳ２０５）。本実施の形態において、グラフ生成部２２３が生成するグラフは、例えば図１７に示すような円グラフ、及び図１９に示すような棒グラフである。円グラフは、図１８に示すように、レーダーチャートの中心に表示されていてもよい。
【００７４】
図１６に戻り、結果出力部２２５は、ステップＳ２０３及びステップＳ２０５で生成したグラフを端末装置１００に送信する（ステップＳ２０６）。送信が完了したら、制御部２２０は外見評価処理を終了する。
【００７５】
本実施の形態によれば、評価対象者は目立たない印象要素により想起される自分の外見の印象を知ることができる。
【００７６】
（実施の形態３）
実施の形態１、２の外見評価装置２００はネットワークを介して個別評価結果を取得したが、ネットワークを介さずに個別評価結果を取得することも可能である。以下、ネットワークを介さずに個別評価結果を取得する外見評価装置２００について説明する。
【００７７】
外見評価装置２００は、図２０に示すように、制御部２２０と、記憶部２３０と、操作部２４０と、表示部２５０と、を備える。
【００７８】
操作部２４０は、キーボード、マウス、タッチパネル等の入力装置である。制御部２２０の個別評価結果取得部２２１は、評価者が操作部２４０を操作して入力した個別評価結果を取得する。
【００７９】
表示部２５０は、液晶ディスプレイ等の情報を出力するための出力装置である。制御部２２０の結果出力部２２５は、グラフ生成部２２３で生成されたグラフや二次印象判別部２２４で判別されたタイプ等を表示部２５０に出力する。
【００８０】
外見評価装置２００のその他の構成及び動作は、実施の形態１や２と同様であるので説明を省略する。
【００８１】
本実施の形態によれば、ネットワークを使用せず外見評価装置２００単独で評価対象者の外見の印象を評価できる。
【００８２】
なお、上述の各実施の形態は一例であり、種々の変更及び応用が可能である。
【００８３】
例えば、上述の各実施の形態では、外見評価装置２００は、一次印象の評価に加えて、二次印象のタイプを判別するよう構成されていたが、二次印象のタイプを判別せずに、一次印象のみ評価するよう構成されていてもよい。
【００８４】
また、上述の各実施の形態では、外見評価装置２００は、複数の一次印象それぞれに点数を割り当てるよう構成されていたが、一次印象に割り当てる評価は点数に限られない。外見評価装置２００は、一次印象それぞれに、例えば、Ａ、Ｂ、Ｃといった、優劣を示すランクを割り当ててもよい。なお、ランクは、Ａ、Ｂ、Ｃ以外の記号であってもよい。勿論、ランクは、数値であってもよい。
【００８５】
一次印象それぞれにランクを割り当てる場合、グラフ生成部２２３はこのランクに基づいてグラフを生成してもよい。この場合、グラフ生成部２２３は、ランクを数値に置き換えてグラフの項目値を算出してもよい。また、一次印象それぞれにランクを割り当てる場合、二次印象判別部２２４はこのランクに基づいて評価対象者の二次印象のタイプを判別してもよい。この場合、二次印象判別部２２４は、ランクを数値に置き換えてタイプを判別してもよい。
【００８６】
また、上述の各実施の形態では、個別評価結果は、顔印象要素評価結果と体部印象要素評価結果とから構成されるものとして説明したが、個別評価結果は、頭部印象要素評価結果と体部印象要素評価結果とから構成されていてもよい。
【００８７】
また、上述の各実施の形態では、一次印象評価部２２２は、「顔一次印象評価結果」と「体部一次印象評価結果」とを取得するよう構成されていたが、「頭部一次印象評価結果」と「体部一次印象評価結果」とを取得するよう構成されていてもよい。また、一次印象評価部２２２は、「体全体の一次印象評価結果」を取得するよう構成されていてもよい。また、一次印象評価部２２２は、「上半身の一次印象評価結果」と「下半身の一次印象評価結果」とを取得するよう構成されていてもよい。また、一次印象評価部２２２は、「胸部より上の部分の一次印象評価結果」を取得するよう構成されていてもよい。
【００８８】
また、上述の各実施の形態では、二次印象判別部２２４は、顔と体部それぞれについて二次印象のタイプを判別するよう構成されていたが、頭部と体部それぞれについて二次印象のタイプを判別するよう構成されていてもよい。また、二次印象判別部２２４は、体全体の二次印象のタイプを判別するよう構成されていてもよい。この場合、二次印象判別部２２４は、体全体の一次印象評価結果に基づいて二次印象のタイプを判別してもよい。また、二次印象判別部２２４は、上半身の二次印象のタイプを判別するよう構成されていてもよいし、下半身の二次印象のタイプを判別するよう構成されていてもよい。また、一次印象評価部２２２は、胸部より上の部分の二次印象のタイプを判別するよう構成されていてもよい。
【００８９】
また、上述の各実施の形態では、顔に髪の部分が含まれるものとして説明したが、髪の部分が含まれていない純粋な顔の部分のみを顔として捉えることが可能である。また、体部には首が含まれていてもよいし含まれていなくてもよい。同様に、顔及び頭部には首が含まれていてもよいし含まれていなくてもよい。
【００９０】
また、上述の各実施の形態では、印象要素の具体例として、体のパーツの形状、模様、色彩等を挙げたが、印象要素は、これらに限定されない。印象要素は、例えば、身長の高低、背筋の状態、年齢（年代を含む。）、声の高さ、しゃべり方、歩き方等であってもよい。
【００９１】
また、上述の各実施の形態では、一次印象は、Ａ〜Ｄ２若しくはＥ１〜Ｅ４の１２個の印象の中から選択される印象であるものとして説明したが、一次印象は、これらの印象に限定されない。一次印象は、例えば、プリティな印象、かわいい印象、子供らしい印象、甘美な印象、あどけない印象、可憐な印象、嬉しい印象、キュートな印象、あいくるしい印象、可憐な印象、快活な印象、親しみやすい印象、陽気な印象、楽しい印象、ほがらかな印象、ユーモラスな印象、魅惑的な印象、麗しい印象、華麗な印象、艶っぽい印象、セクシーな印象、華やかな印象、贅沢な印象、艶やかな印象、豪華な印象、しなやかな印象、優艶な印象、悠々たる印象、肉感的な印象、派手な印象、繊細な印象、初々しい印象、肌ざわりのよい印象、女性的な印象、柔和な印象、清楚な印象、家庭的な印象、やさしい印象、優雅な印象、優美な印象、淑やかな印象、上品な印象、エレガントな印象、気品のある印象、和やかな印象、おとなしい印象、素朴な印象、温和な印象、おおらかな印象、まろやかな印象、ひかえめな印象、穏やかな印象、おっとりとした印象、雅やかな印象、慎ましやかな印象、清淑な印象、繊細な印象、やわらかい印象、古風な印象、クラッシックな印象、高尚な印象、豊かな印象、円熟した印象、格調のある印象、豊潤な印象、風格のある印象、本格的な印象、重厚な印象、気品のある印象、風雅な印象、格調高雅な印象、優々たる印象、安定した印象、迫力がある印象、充実した印象、神秘的な印象、クリアな印象、清らかな印象、清々しい印象、爽やかな印象、純真な印象、健康的な印象、瑞々しい印象、清潔な印象、きれいな印象、透明感のある印象、浮世離れした印象、中性的な印象、誠実な印象、生き生きした印象、若々しい印象、スカっとした印象、活動的な印象、スマートな印象、活気のある印象、闊達な印象、威勢の良い印象、ピチピチとした印象、タフな印象、はつらつとした印象、フレッシュな印象、エネルギッシュな印象、開放的な印象、洗練された印象、都会的な印象、気高い印象、神聖な印象、きりりとした印象、知的な印象、荘厳な印象、りりしい印象、シャープな印象、冷静な印象、しっかりとした印象、落ち着いた印象、カッコいい印象、意思が強い印象、及びこれらの言葉を組み合わせて表現される印象等であってもよい。
【００９２】
また、一次印象は、肯定的印象に限られない。一次印象は、否定的印象であってもよい。例えば、一次印象は、子供っぽい印象、甘えん坊な印象、わがままな印象、知性に欠ける印象、したたかな印象、うるさい印象、安っぽい印象、意地悪な印象、やぼったい印象、冷たい印象、無表情な印象、緊張させる印象、弱々しい印象、頼りない印象、寂しい印象、気が弱い印象、相手をイライラさせる印象、地味な印象、古い印象、薄い印象、近寄りがたい印象、重い印象、青臭い印象、世間知らずな印象、大雑把な印象、垢抜けない印象、人工的な印象、恐い印象、暗い印象、及びこれらの言葉を組み合わせて表現される印象等であってもよい。欠点を知ることで、より詳細に印象改善の方向性を知ることができる。なお、一次印象は、肯定的印象と否定的印象を組み合わせて表現される印象であってもよい。
【００９３】
また、上述の各実施の形態では、評価対象者は女性であるものとして説明したが、評価対象者は男性であってもよい。発明者は、長年の経験から、多くの人は、男性を見たときに、以下に示す５つのタイプのいずれかに当てはめて把握していることが多いとの知見を得た。なお、下記Ｔ１〜Ｔ５は、それぞれ、女性の二次印象のタイプＴ１〜Ｔ５に対応している。タイプの判別方法は、実施の形態１のステップＳ１０７で示した判別方法と同じであってもよい。
【００９４】
Ｔ１．明るく親しみやすい印象のタイプ（以下、「プリンスタイプ」という。）
Ｔ２．さっぱり清々しい印象のタイプ（以下、「クリエイタータイプ」という。）
Ｔ３．理知的でりりしい印象のタイプ（以下、「プレジデントタイプ」という。）
Ｔ４．風格がありワイルドな印象のタイプ（以下、「ボスタイプ」という。）
Ｔ５．上品で洗練された印象のタイプ（以下、「ジェントルマンタイプ」という。）
【００９５】
女性及び男性の二次印象のタイプは、Ｔ１〜Ｔ５の５つのタイプに限定されない。二次印象のタイプは、さらに細分化されていてもよい。例えば、図２１に示すように、「Ｕ１：天使／プリンスタイプ」、「Ｕ２：アクティブ天使タイプ」、「Ｕ３：観音／ボスタイプ」、「Ｕ４：天女／ジェントルマンタイプ」、「Ｕ５：ナチュラル天女タイプ」、「Ｕ６：クラシック天女タイプ」、「Ｕ７：妖精／クリエイタータイプ」、「Ｕ８：スポーティ女神タイプ」、「Ｕ９：女神／プレジデントタイプ」の９つのタイプに細分化されていてもよい。なお、図２３に示すＡ〜Ｄ２は、一次印象Ａ〜Ｄ２である。なお、ナチュラル天女タイプＵ５は、Ａ〜Ｄ２の８つの点数がほぼ均等に低い点数となるときに判別されるタイプである。Ｕ５を除くＵ１〜Ｕ９は、それぞれ、対応する一次印象の点数が高いときに判別されるタイプである。
【００９６】
その他、二次印象のタイプは、きれいで冷静な印象のタイプ、優雅で気品のあるタイプ等、知的でクールな印象のタイプ、闊達で威勢のよいタイプ等であってもよい。二次印象のタイプは、５つより少なくてもよいし、多くてもよい。
【００９７】
また、実施の形態１では、二次印象判別部２２４は、Ａ〜Ｄ２の８つの点数を使って評価対象者の二次印象のタイプを判別したが、実施の形態２のＥ１〜Ｅ４の点数を使って評価対象者の二次印象のタイプを判別してもよい。例えば、Ｅ１〜Ｅ４の点数が高いときは、Ａ〜Ｄ２の点が低いときであると考えられるので、二次印象判別部２２４は、Ｅ１〜Ｅ４の合計点が一定の閾値より高いとき、評価対象者の二次印象のタイプを天女タイプＴ５、若しくはナチュラル天女タイプＵ５と判別してもよい。
【００９８】
また、上述の各実施の形態では、評価対象者と評価者とが異なる者であるものとして説明したが、評価対象者と評価者とは同一人物であってもよい。
【００９９】
また、実施の形態１、２では、グラフ生成部２２３が生成するグラフは、棒グラフとレーダーチャートとであるものとして説明したが、グラフ生成部２２３が生成するグラフは、棒グラフとレーダーチャートとに限定されない。グラフ生成部２２３は、例えば、円グラフ、折れ線グラフ、バブルチャートを生成するよう構成されていてもよい。なお、棒グラフは横棒グラフであってもよいし、縦棒グラフであってもよい。
【０１００】
また、実施の形態１、２では、グラフ生成部２２３が生成する重畳グラフは、２枚のレーダーチャートを重ね合わせたグラフであるものとして説明したが、重畳グラフは、２枚のレーダーチャートを重ねたグラフに限定されない。重畳グラフは、例えば図２２に示すような、２枚の棒グラフを重ね合わせたグラフであってもよい。なお、図２２は、図１０示す棒グラフと図１２に示す棒グラフとを重ね合わせたグラフである。なお、グラフ生成部２２３が重ねるグラフの枚数は２枚に限定されない。グラフ生成部２２３が重ねるグラフの枚数は３枚以上であってもよい。
【０１０１】
また、実施の形態３では、グラフ生成部２２３が生成するグラフは、円グラフであるものとして説明したが、グラフは円グラフに限定されない。グラフ生成部２２３は、例えば、棒グラフ、レーダーチャート、折れ線グラフ、バブルチャートを生成するよう構成されていてもよい。
【０１０２】
また、上述の各実施の形態では、変換情報２３１には、数値幅のある点数が格納されるよう構成されていたが、変換情報２３１に格納される点数は、図２３に示すように、数値幅のある点数（図２３に示す「点数１」）と数値幅のない点数（図２３に示す「点数２」）とであってもよい。このとき、点数２は点数１で示される範囲の値であってもよい。実施の形態１のステップＳ１０３、Ｓ１０５では、グラフ生成部２２３は、数値幅のある点数の上限値の合計点を棒グラフの項目値としていたが、点数２の合計点を棒グラフの項目値としてもよい。
【０１０３】
また、上述の各実施の形態では、一次評価結果を算出する処理装置は制御部２２０であるものとして説明したが、処理装置は制御部２２０以外のプロセッサであってもよい。処理装置を外見評価装置２００そのものとして捉えることも可能である。
【０１０４】
なお、外見評価装置２００は、外見評価処理を実行するために専用に設計された専用の装置であってもよい。また、外見評価装置２００は、パーソナルコンピュータ、タブレット端末、スマートフォン、ＰＤＡ（Personal Digital Assistant）、携帯電話機、固定電話機、ゲーム機等の汎用装置であってもよい。また、外見評価装置２００は、ＰＣサーバ、メインフレーム等のサーバ装置であってもよい。
【０１０５】
また、実施の形態１、２では、端末装置１００の具体例として、パーソナルコンピュータとタブレット端末とを挙げたが、端末装置１００はパーソナルコンピュータとタブレット端末とに限定されない。端末装置１００は、スマートフォン、ＰＤＡ（Personal Digital Assistant）、携帯電話機、固定電話機、ゲーム機等であってもよい。
【０１０６】
本実施の形態に係る外見評価装置２００は、専用のシステムにより実現してもよいし、通常のコンピュータシステムにより実現してもよい。例えば、上述の動作を実行するためのプログラムを、光ディスク、半導体メモリ、磁気テープ、フレキシブルディスク等のコンピュータ読み取り可能な記録媒体に格納して配布し、該プログラムをコンピュータにインストールして、上述の処理を実行することによって外見評価装置２００を構成してもよい。また、上記プログラムをインターネット等のネットワーク上のサーバ装置が備えるディスク装置に格納しておき、コンピュータにダウンロード等できるようにしてもよい。また、上述の機能を、ＯＳ（Operating System）とアプリケーションソフトとの協働により実現してもよい。この場合には、ＯＳ以外の部分を媒体に格納して配布してもよいし、ＯＳ以外の部分をサーバ装置に格納しておき、コンピュータにダウンロード等できるようにしてもよい。
【０１０７】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことが出来る。この実施形態やその変形は、発明の範囲や要旨に含まれるとともに、特許請求の範囲に記載された発明とその均等の範囲に含まれる。
【符号の説明】
【０１０８】
１…外見評価システム
１００…端末装置
２００…外見評価装置
２１０…通信インタフェース
２２０…制御部
２２１…個別評価結果取得部
２２２…一次印象評価部
２２３…グラフ生成部
２２４…二次印象判別部
２２５…結果出力部
２３０…記憶部
２３１…変換情報
２４０…操作部
２５０…表示部
【図１】
2015176330.tif 000003
【図２】
2015176330.tif 000004
【図３】
2015176330.tif 000005
【図４】
2015176330.tif 000006
【図５】
2015176330.tif 000007
【図６】
2015176330.tif 000008
【図７】
2015176330.tif 000009
【図８】
2015176330.tif 000010
【図９】
2015176330.tif 000011
【図１０】
2015176330.tif 000012
【図１１】
2015176330.tif 000013
【図１２】
2015176330.tif 000014
【図１３】
2015176330.tif 000015
【図１４】
2015176330.tif 000016
【図１５】
2015176330.tif 000017
【図１６】
2015176330.tif 000018
【図１７】
2015176330.tif 000019
【図１８】
2015176330.tif 000020
【図１９】
2015176330.tif 000021
【図２０】
2015176330.tif 000022
【図２１】
2015176330.tif 000023
【図２２】
2015176330.tif 000024
【図２３】
2015176330.tif 000025